(57)【要約】【課題】トラフィック種別（アクセスカテゴリ種別（ＡＣ種別））に応じた適切なユーザ装置のスケジューリングを行う。【解決手段】種別に応じたウエイト値を決定する制御部と、複数のユーザ装置から無線品質情報を受信する受信部と、を有する無線通信システムであって、前記制御部は、前記複数のユーザ装置の前記種別に応じた前記ウエイト値と、前記無線品質情報とに応じてＯＦＤＭＡスケジューリングを行う、無線通信システムが提供される。【選択図】図１
2020150457.tif 000002
【特許請求の範囲】
【請求項１】
種別に応じたウエイト値を決定する制御部と、
複数のユーザ装置から無線品質情報を受信する受信部と、を有する無線通信システムであって、
前記制御部は、前記複数のユーザ装置の前記種別に応じた前記ウエイト値と、前記無線品質情報とに応じてＯＦＤＭＡスケジューリングを行う、無線通信システム。
【請求項２】
前記種別は、アクセスカテゴリ種別である、請求項１記載の無線通信システム。
【請求項３】
前記制御部は、前記複数のユーザ装置の前記種別に応じた前記ウエイト値を前記無線品質情報に乗算した結果に基づいてＯＦＤＭＡスケジューリングを行う、請求項１又は２記載の無線通信システム。
【請求項４】
前記ＯＦＤＭＡスケジューリングによって、サブキャリアが前記複数のユーザ装置に割り当てられる、請求項１−３のいずれか１項に記載の無線通信システム。
【請求項５】
種別に応じたウエイト値を決定するステップと、
複数のユーザ装置から無線品質情報を受信するステップと、を有する無線通信システムの制御方法であって、
前記複数のユーザ装置の前記種別に応じた前記ウエイト値と、前記無線品質情報とに応じてＯＦＤＭＡスケジューリングを行うステップを更に有する、
無線通信システムの制御方法。
【発明の詳細な説明】
【技術分野】
【０００１】
本発明は、無線通信システム及び制御方法に関する。
【背景技術】
【０００２】
次世代無線ＬＡＮ規格ＩＥＥＥ８０２．１１ａｘでは、多元接続方式としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を活用することで、周波数領域にユーザ装置を多重化することで効率的な無線伝送を実現できる（非特許文献１）。
【先行技術文献】
【非特許文献】
【０００３】
【非特許文献１】インターネット＜ｈｔｔｐｓ：／／ｍｅｎｔｏｒ．ｉｅｅｅ．ｏｒｇ／８０２．１１／ｄｃｎ／１５／１１−１５−０１３２−１７−００ａｘ−ｓｐｅｃ−ｆｒａｍｅｗｏｒｋ．ｄｏｃｘ＞、"Ｓｐｅｃｉｆｉｃａｔｉｏｎ  Ｆｒａｍｅｗｏｒｋ  ｆｏｒ  ＴＧａｘ"
【発明の概要】
【発明が解決しようとする課題】
【０００４】
しかしながら、アクセスポイントＡＰ（Ａｃｃｅｓｓ  Ｐｏｉｎｔ）とユーザ装置ＳＴＡ（Ｓｔａｔｉｏｎ）との間でやりとりされるトラフィック種別（アクセスカテゴリ種別（ＡＣ種別））に応じた適切なユーザ装置のスケジューリングを行わないと、スループットが低下してしまうという課題がある。
【０００５】
本発明は上記の点に鑑みてなされたものであり、トラフィック種別（アクセスカテゴリ種別（ＡＣ種別））に応じた適切なユーザ装置のスケジューリングを行うことを目的とする。
【課題を解決するための手段】
【０００６】
開示の技術によれば、トラフィック種別（アクセスカテゴリ種別（ＡＣ種別））に応じたウエイト値を決定する制御部と、複数のユーザ装置から無線品質情報を受信する受信部と、を有する無線通信システムであって、前記制御部は、前記複数のユーザ装置の前記種別に応じた前記ウエイト値と、前記無線品質情報とに応じてＯＦＤＭＡスケジューリングを行う無線通信システムが提供される。
【発明の効果】
【０００７】
開示の技術によれば、トラフィック種別（アクセスカテゴリ種別（ＡＣ種別））に応じた適切なユーザ装置のスケジューリングを行うことができる。
【図面の簡単な説明】
【０００８】
【図１】本発明の実施形態における無線通信システムを説明するためのシーケンス図である。
【図２】ユーザ装置情報テーブルの一例を示す図である。
【図３】ウエイト値のテーブルの一例を示す図である。
【図４】トラフィック種別（ＡＣ種別）に応じたスケジューリングを説明するための図である。
【図５】トラフィック種別（ＡＣ種別）に応じたスケジューリングを説明するためのフローチャートである。
【図６】本発明の実施形態における無線通信システムの構成の一例を示す図である。
【図７】無線ＬＡＮ規格ＩＥＥＥ８０２．１１ａｘのＯＦＤＭＡを説明するための図である。
【図８】本発明の実施形態におけるアクセスポイント（ＡＰ）１０の機能構成の一例を示す図である。
【図９】本発明の実施形態におけるユーザ装置２０の機能構成の一例を示す図である。
【図１０】本発明の実施形態におけるアクセスポイント（ＡＰ）１０又はユーザ装置２０のハードウェア構成の一例を示す図である。
【発明を実施するための形態】
【０００９】
以下、図面を参照して本発明の実施形態を説明する。なお、以下で説明する実施形態は一例であり、本発明が適用される実施形態は、以下の実施形態に限られない。
【００１０】
図１は、本発明の実施形態における無線通信システムを説明するための図である。本発明の実施形態における無線通信システムは、図１に示されるように、アクセスポイント（ＡＰ）１０及び複数のユーザ装置２０を含む。ユーザ装置２０は、スマートフォン、携帯電話機、タブレット、ウェアラブル端末、Ｍ２Ｍ（Ｍａｃｈｉｎｅ−ｔｏ−Ｍａｃｈｉｎｅ）用通信モジュール等の無線通信機能を備えた通信装置である。
【００１１】
図１のステップＳ１０において、アクセスポイント１０は、チャネルサウンディングの開始を通知するＮＤＰＡ（Ｎｕｌｌ  Ｄａｔａ  Ｐａｃｋｅｔ  Ａｎｎｏｕｎｃｅｍｅｎｔ）を送信する。
【００１２】
ステップＳ１１において、アクセスポイント１０は、ＮＤＰ（Ｎｕｌｌ  Ｄａｔａ  Ｐａｃｋｅｔ）を送信する。
【００１３】
ステップＳ１２において、各ユーザ装置２０は、ＮＤＰをもとに、チャネル情報および無線品質情報を算出する。
【００１４】
ステップＳ１３、Ｓ１４において、各ユーザ装置２０は、端末情報、チャネル情報、無線品質情報を送信する。
【００１５】
ステップＳ１５において、アクセスポイント１０は、各ユーザ装置２０からフィードバックされた情報をもとに、ユーザ装置情報テーブルＴＢＬ１を作成する。
【００１６】
ステップＳ１６において、アクセスポイント１０は、各ユーザ装置２０からフィードバックされた無線品質情報をもとに、アクセスカテゴリ（ＡＣ：Ａｃｃｅｓｓ  Ｃａｔｅｇｏｒｙ）種別に応じたウエイト値のテーブルＴＢＬ２を利用して、ＡＣ種別に応じたＯＦＤＭＡスケジューリングを実行する。
【００１７】
ステップＳ１７、Ｓ１８において、アクセスポイント１０と各ユーザ装置２０は、ＯＦＤＭＡスケジューリングの結果に基づいてＯＦＤＭＡ伝送を行う。
【００１８】
図２は、ユーザ装置情報テーブルＴＢＬ１の一例を示す図である。
【００１９】
ユーザ装置情報テーブルＴＢＬ１には、各ユーザ装置２０の対応規格、周波数、アンテナ数、ＡＣ種別、及び、サブキャリア毎のＳＮＲ（Ｓｉｇｎａｌ  ｔｏ  Ｎｏｉｓｅ  Ｒａｔｉｏ）が格納されている。
【００２０】
例えば、ＳＴＡ＃１で示されるユーザ装置２０の対応規格はＩＥＥＥ８０１．１１ａｘであり、周波数は２．４／５ＧＨｚ、アンテナ数は２、ＡＣ種別は音声（ＶＯ（Ｖｏｉｃｅ））、サブキャリア毎のＳＮＲはＹ１［ｄＢ］である。ＳＴＡ＃２で示されるユーザ装置２０の対応規格はＩＥＥＥ８０１．１１ａｘであり、周波数は２．４／５ＧＨｚ、アンテナ数は１、ＡＣ種別はビデオ（ＶＩ（Ｖｉｄｅｏ））、サブキャリア毎のＳＮＲはＹ２［ｄＢ］である。ＳＴＡ＃３で示されるユーザ装置２０の対応規格はＩＥＥＥ８０１．１１ａｘであり、周波数は２．４／５ＧＨｚ、アンテナ数は２、ＡＣ種別はベストエフォート（ＢＥ（Ｂｅｓｔ  Ｅｆｆｏｒｔ））、サブキャリア毎のＳＮＲはＹ３［ｄＢ］である。ＳＴＡ＃ｎで示されるユーザ装置２０の対応規格はＩＥＥＥ８０１．１１ａｘであり、周波数は５ＧＨｚ、アンテナ数は１、ＡＣ種別はバックグラウンド（ＢＫ（Ｂａｃｋｇｒｏｕｎｄ））、サブキャリア毎のＳＮＲはＹｎ［ｄＢ］である。
【００２１】
図３は、ＡＣ種別に応じたウエイト値のテーブルＴＢＬ２の一例を示す図である。
【００２２】
ＡＣ種別に応じたウエイト値のテーブルＴＢＬ２には、ＡＣ種別、ＡＣ種別に対応する優先度、フレーム送信間隔を示すＡＩＦＳＮ（Ａｒｂｉｔｒａｔｉｏｎ  Ｉｎｔｅｒ  Ｆｒａｍｅ  Ｓｐａｃｅ  Ｎｕｍｂｅｒ）、ＣＷ（Ｃｏｎｔｅｎｔｉｏｎ  Ｗｉｎｄｏｗ）の最小値を示すＣＷｍｉｎ、ＣＷの最大値を示すＣＷｍａｘ、チャネル占有時間のリミットを示すＴＸＯＰ（Ｔｒａｎｓｍｉｓｓｉｏｎ  Ｏｐｐｏｒｔｕｎｉｔｙ）  ｌｉｍｉｔ、及び、ウエイト値が格納されている。
【００２３】
例えば、ＡＣ種別音声（ＡＣ＿ＶＯ）に対応する優先度は高（Ｈｉｇｈ）であり、ＡＩＦＳＮは２、ＣＷｍｉｎは３、ＣＷｍａｘは７、ＴＸＯＰ  ｌｉｍｉｔは１．５０４  ｍｓ、ウエイト値は０．６である。ＡＣ種別ビデオ（ＡＣ＿ＶＩ）に対応する優先度は高（Ｈｉｇｈ）であり、ＡＩＦＳＮは２、ＣＷｍｉｎは７、ＣＷｍａｘは１５、ＴＸＯＰ  ｌｉｍｉｔは３．００８  ｍｓ、ウエイト値は０．６である。ＡＣ種別ベストエフォート（ＡＣ＿ＢＥ）に対応する優先度は中（Ｍｉｄｄｌｅ）であり、ＡＩＦＳＮは３、ＣＷｍｉｎは１５、ＣＷｍａｘは１０２３、ＴＸＯＰ  ｌｉｍｉｔは０、ウエイト値は０．３である。ＡＣ種別バックグラウンド（ＡＣ＿ＢＫ）に対応する優先度は低（Ｌｏｗ）であり、ＡＩＦＳＮは７、ＣＷｍｉｎは１５、ＣＷｍａｘは１０２３、ＴＸＯＰ  ｌｉｍｉｔは０、ウエイト値は０．１である。
【００２４】
図４は、トラフィック種別（ＡＣ種別）に応じたスケジューリングを説明するための図である。図４の上側には、従来のトラフィック種別を考慮しないＯＦＤＭＡスケジューリングの一例が示されている。従来のトラフィック種別を考慮しないＯＦＤＭＡスケジューリングでは、サブキャリアインデックス毎のＳＮＲ値の大きいユーザ装置２０から順にＯＦＤＭＡスケジューリングを行うため、トラフィック種別の優先度関係に基づいたＯＦＤＭＡスケジューリングを行うことができない。その結果、ＳＴＡ＃１で示されるＡＣ種別音声（ＡＣ＿ＶＯ）のユーザ装置２０や、ＳＴＡ＃２で示されるＡＣ種別ビデオ（ＡＣ＿ＶＩ）のユーザ装置２０に対して、無線リソースを十分に割り当てることができない。
【００２５】
具体的には、ＳＴＡ＃１で示されるＡＣ種別音声（ＡＣ＿ＶＯ）のユーザ装置２０のサブキャリアインデックス毎のＳＮＲ値は、５、８、１０、２、６、４、３である。また、ＳＴＡ＃２で示されるＡＣ種別ビデオ（ＡＣ＿ＶＩ）のユーザ装置２０のサブキャリアインデックス毎のＳＮＲ値は、１１、４、６、５、１、８、２である。また、ＳＴＡ＃３で示されるＡＣ種別ベストエフォート（ＡＣ＿ＢＥ）のユーザ装置２０のサブキャリアインデックス毎のＳＮＲ値は、１５、３、１１、６、７、９、４である。サブキャリアインデックス毎のＳＮＲ値の大きいユーザ装置２０から順にＯＦＤＭＡスケジューリングを行うため、最初のサブキャリアインデックスに対応するサブキャリアはＳＴＡ＃３に割り当てられ、２番目のサブキャリアはＳＴＡ＃１に割り当てられ、残りのサブキャリアはすべてＳＴＡ＃３に割り当てられる。この結果、ＳＴＡ＃１で示されるＡＣ種別音声（ＡＣ＿ＶＯ）のユーザ装置２０や、ＳＴＡ＃２で示されるＡＣ種別ビデオ（ＡＣ＿ＶＩ）のユーザ装置２０に対して、無線リソースを十分に割り当てることができない。
【００２６】
図４の下側には、本発明の実施形態による、トラフィック種別を考慮したＯＦＤＭＡスケジューリングの一例が示されている。トラフィック種別を考慮したＯＦＤＭＡスケジューリングでは、サブキャリアインデックス毎のＳＮＲ値に事前に決定したＡＣ種別に応じたウエイト値を乗算することで、トラフィック種別の優先度関係を考慮したＯＦＤＭＡスケジューリングを行うことができる。その結果、ＳＴＡ＃１で示されるＡＣ種別音声（ＡＣ＿ＶＯ）のユーザ装置２０や、ＳＴＡ＃２で示されるＡＣ種別ビデオ（ＡＣ＿ＶＩ）のユーザ装置２０に対して、優先的に無線リソースが割り当てられる。
【００２７】
具体的には、ＳＴＡ＃１で示されるＡＣ種別音声（ＡＣ＿ＶＯ）のユーザ装置２０のサブキャリアインデックス毎のＳＮＲ値に、ＳＴＡ＃１のＡＣ種別（ＡＣ＿ＶＯ）に応じたウエイト値０．６（図３参照）が乗算され、３、４．８、６、１．２、３．６、２．４、１．８が得られる。また、ＳＴＡ＃２で示されるＡＣ種別ビデオ（ＡＣ＿ＶＩ）のユーザ装置２０のサブキャリアインデックス毎のＳＮＲ値に、ＳＴＡ＃２のＡＣ種別（ＡＣ＿ＶＩ）に応じたウエイト値０．６（図３参照）が乗算され、６．６、２．４、３．６、３、０．６、４．８、１．２が得られる。また、ＳＴＡ＃３で示されるＡＣ種別ビデオ（ＡＣ＿ＢＥ）のユーザ装置２０のサブキャリアインデックス毎のＳＮＲ値に、ＳＴＡ＃３のＡＣ種別（ＡＣ＿ＢＥ）に応じたウエイト値０．３（図３参照）が乗算され、４．５、０．９、３．３、２．４、２．１、２．７、２．４が得られる。この結果、２番目、３番目、５番目のサブキャリアはＳＴＡ＃１に割り当てられ、１番目、４番目、６番目のサブキャリアはＳＴＡ＃２に割り当てられ、７番目のサブキャリアはＳＴＡ＃３に割り当てられる。このように、トラフィック種別を考慮したＯＦＤＭＡスケジューリングでは、ＳＴＡ＃１で示されるＡＣ種別音声（ＡＣ＿ＶＯ）のユーザ装置２０や、ＳＴＡ＃２で示されるＡＣ種別ビデオ（ＡＣ＿ＶＩ）のユーザ装置２０に対して、優先的に無線リソースが割り当てられる。
【００２８】
（フローチャート）
図５は、トラフィック種別（ＡＣ種別）に応じたスケジューリングを説明するためのフローチャートである。
【００２９】
図５のステップＳ２０において、ＯＦＤＭＡスケジューリングが開始される。
【００３０】
ステップＳ２１において、ＡＣ種別に応じたウエイト値が決定される。
【００３１】
ステップＳ２２において、ＮＤＰＡおよびＮＤＰが送信される。
【００３２】
ステップＳ２３において、各ユーザ装置２０から集められた情報（端末情報、チャネル情報、無線品質情報）に基づいて、ユーザ装置情報テーブルＴＢＬ１が作成される。
【００３３】
ステップＳ２４において、各ユーザ装置２０のサブキャリアインデックス毎のＳＮＲ値に事前に決定したＡＣ種別に応じたウエイト値を乗算した値が算出される。
【００３４】
ステップＳ２５において、算出された結果をもとに、サブキャリア毎に、サブキャリアを割り当てるユーザ装置２０を決定する。
【００３５】
ステップＳ２６において、ＯＦＤＭＡスケジューリングを終了する。
【００３６】
（システム構成）
図６は、本発明の実施形態における無線通信システムの構成の一例を示す図である。
【００３７】
図６に示されるように、本発明の実施形態における無線通信システムは、アクセスポイント（ＡＰ）１０、ユーザ装置２０、管理者３０から構成される。
【００３８】
管理者３０は、サービス運用者やネットワークオペレータであってもよい。管理者３０は、サービス要求条件を決定し、決定した情報をアクセスポイント１０またはネットワークに対して提供する。サービス要求条件には、優先度情報（ＡＣ種別に応じたウエイト値）が含まれる。
【００３９】
ユーザ装置２０は、端末情報、チャネル情報、および、無線品質情報をアクセスポイント１０に通知する。
【００４０】
図６に示されるように、アクセスポイント１０の有する機能は、処理の流れに応じて、情報取得部、テーブル保持部、無線品質算出部、ウエイト乗算部、ＯＦＤＭＡスケジューリング部に分けられる。
【００４１】
情報取得部は、管理者３０から、サービス要求条件／優先度情報（ＡＣ種別に応じたウエイト値）等を取得する。また、情報取得部は、ユーザ装置２０から、端末情報、チャネル情報、無線品質情報等を取得する。テーブル保持部は、ユーザ装置情報テーブルＴＢＬ１やＡＣ種別に応じたウエイト値のテーブルＴＢＬ２を保持する。無線品質算出部は、ユーザ装置２０から取得した情報に基づいて、サブキャリアインデックス毎の無線品質値を算出する。ウエイト乗算部は、サブキャリアインデックス毎の無線品質値に、ＡＣ種別に応じたウエイト値を乗算する。ＯＦＤＭＡスケジューリング部は、ウエイト値が乗算された値に基づいてＯＦＤＭＡスケジューリングを行う。
【００４２】
なお、アクセスポイント１０に含まれる各機能（情報取得部、テーブル保持部、無線品質算出部、ウエイト乗算部、ＯＦＤＭＡスケジューリング部）は、１つのノードによって実現されてもよいし、複数のノードによってそれぞれ実現されてもよい。
【００４３】
例えば、アクセスポイント１０に接続されるアクセスポイントコントローラ（ＡＰコントローラ）を有し、アクセスポイント１０に含まれる機能（情報取得部、テーブル保持部、無線品質算出部、ウエイト乗算部、ＯＦＤＭＡスケジューリング部）の一部が該ＡＰコントローラによって実現されてもよい。
【００４４】
（無線ＬＡＮ規格ＩＥＥＥ８０２．１１ａｘのＯＦＤＭＡ）
図７は、無線ＬＡＮ規格ＩＥＥＥ８０２．１１ａｘのＯＦＤＭＡを説明するための図である。
【００４５】
無線ＬＡＮ規格ＩＥＥＥ８０２．１１ａｘのＯＦＤＭＡは、異なるサブキャリアグループ（ＲＵ（Ｒｅｓｏｕｒｃｅ  Ｕｎｉｔ））を異なる端末に割り当てる多重化技術である。
【００４６】
図７の左側に示されるように、２０ＭＨｚのチャネルを更に分割して複数の端末を収容することができる。これにより、周波数ダイバーシチの効果が得られ、周波数利用効率が向上する。なお、この技術は、２．４ＧＨｚ対にも適用可能である。
【００４７】
図７の右側には、周波数帯域幅に対する最大ＲＵ数が示されている。
【００４８】
例えば、２６個のサブキャリアを束ねるＲＵの場合、２０ＭＨｚの帯域幅に対する最大ＲＵ数は９であり、４０ＭＨｚの帯域幅に対する最大ＲＵ数は１８、８０ＭＨｚの帯域幅に対する最大ＲＵ数は３７、８０＋８０ＭＨｚおよび１６０ＭＨｚの帯域幅に対する最大ＲＵ数は７４であることが示されている。
【００４９】
（装置構成）
次に、これまでに説明した処理及び動作を実行するアクセスポイント１０及びユーザ装置２０の機能構成例を説明する。アクセスポイント１０及びユーザ装置２０は上述した実施例を実施する機能を含む。ただし、アクセスポイント１０及びユーザ装置２０はそれぞれ、実施例の中の一部の機能のみを備えることとしてもよい。
【００５０】
＜アクセスポイント１０＞
図８は、アクセスポイント１０の機能を、送信、受信、設定、制御の観点から分けた機能構成の一例を示す図である。図８に示されるように、アクセスポイント１０は、送信部１１０と、受信部１２０と、設定部１３０と、制御部１４０とを有する。図８に示される機能構成は一例に過ぎない。本発明の実施の形態に係る動作を実行できるのであれば、機能区分及び機能部の名称はどのようなものでもよい（例えば、図６に示されるように、アクセスポイント１０の機能を、処理の流れに応じて、情報取得部、テーブル保持部、無線品質算出部、ウエイト乗算部、ＯＦＤＭＡスケジューリング部に分けてもよい）。
【００５１】
送信部１１０は、ユーザ装置２０側に送信する信号を生成し、当該信号を無線で送信する機能を含む。受信部１２０は、ユーザ装置２０から送信された各種の信号を受信する機能を含む。
【００５２】
設定部１３０は、予め設定される設定情報、及び、ユーザ装置２０に送信する各種の設定情報を記憶装置に格納し、必要に応じて記憶装置から読み出す。
【００５３】
制御部１４０は、実施例において説明したように、ＯＦＤＭＡスケジューリング等を実行する。制御部１４０における信号送信に関する機能部を送信部１１０に含め、制御部１４０における信号受信に関する機能部を受信部１２０に含めてもよい。
【００５４】
＜ユーザ装置２０＞
図９は、ユーザ装置２０の機能構成の一例を示す図である。図９に示されるように、ユーザ装置２０は、送信部２１０と、受信部２２０と、設定部２３０と、制御部２４０とを有する。図９に示される機能構成は一例に過ぎない。本発明の実施の形態に係る動作を実行できるのであれば、機能区分及び機能部の名称はどのようなものでもよい。
【００５５】
送信部２１０は、送信データから送信信号を作成し、当該送信信号を無線で送信する。受信部２２０は、各種の信号を無線受信する。受信部２２０は、アクセスポイント１０からＮＤＰＡやＮＤＰを受信する。送信部２１０は、チャネル情報、無線品質情報をアクセスポイント１０に送信する。
【００５６】
設定部２３０は、受信部２２０によりアクセスポイント１０から受信した各種の設定情報を記憶装置に格納し、必要に応じて記憶装置から読み出す。また、設定部２３０は、予め設定される設定情報も格納する。
【００５７】
制御部２４０は、実施例において説明したように、アクセスポイント１０から受信したＮＤＰをもとにチャネル情報、無線品質情報を算出する。制御部２４０における信号送信に関する機能部を送信部２１０に含め、制御部２４０における信号受信に関する機能部を受信部２２０に含めてもよい。
【００５８】
（ハードウェア構成）
上記実施形態の説明に用いたブロック図（図８及び図９）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００５９】
機能には、判断、決定、判定、計算、算出、処理、導出、調査、探索、確認、受信、送信、出力、アクセス、解決、選択、選定、確立、比較、想定、期待、見做し、報知（ｂｒｏａｄｃａｓｔｉｎｇ）、通知（ｎｏｔｉｆｙｉｎｇ）、通信（ｃｏｍｍｕｎｉｃａｔｉｎｇ）、転送（ｆｏｒｗａｒｄｉｎｇ）、構成（ｃｏｎｆｉｇｕｒｉｎｇ）、再構成（ｒｅｃｏｎｆｉｇｕｒｉｎｇ）、割り当て（ａｌｌｏｃａｔｉｎｇ、ｍａｐｐｉｎｇ）、割り振り（ａｓｓｉｇｎｉｎｇ）などがあるが、これらに限られない。たとえば、送信を機能させる機能ブロック（構成部）は、送信部（ｔｒａｎｓｍｉｔｔｉｎｇ  ｕｎｉｔ）や送信機（ｔｒａｎｓｍｉｔｔｅｒ）と呼称される。いずれも、上述したとおり、実現方法は特に限定されない。
【００６０】
例えば、本開示の一実施形態におけるアクセスポイント１０、ユーザ装置２０等は、本開示の無線通信方法の処理を行うコンピュータとして機能してもよい。図１０は、本開示の一実施の形態に係るアクセスポイント１０及びユーザ装置２０のハードウェア構成の一例を示す図である。上述のアクセスポイント１０及びユーザ装置２０は、物理的には、プロセッサ１００１、記憶装置１００２、補助記憶装置１００３、通信装置１００４、入力装置１００５、出力装置１００６、バス１００７などを含むコンピュータ装置として構成されてもよい。
【００６１】
なお、以下の説明では、「装置」という文言は、回路、デバイス、ユニット等に読み替えることができる。アクセスポイント１０及びユーザ装置２０のハードウェア構成は、図に示した各装置を１つ又は複数含むように構成されてもよいし、一部の装置を含まずに構成されてもよい。
【００６２】
アクセスポイント１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００６３】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Ｃｅｎｔｒａｌ  Ｐｒｏｃｅｓｓｉｎｇ  Ｕｎｉｔ）で構成されてもよい。例えば、上述の制御部１４０、制御部２４０等は、プロセッサ１００１によって実現されてもよい。
【００６４】
また、プロセッサ１００１は、プログラム（プログラムコード）、ソフトウェアモジュール又はデータ等を、補助記憶装置１００３及び通信装置１００４の少なくとも一方から記憶装置１００２に読み出し、これらに従って各種の処理を実行する。プログラムとしては、上述の実施の形態において説明した動作の少なくとも一部をコンピュータに実行させるプログラムが用いられる。例えば、図８に示したアクセスポイント１０の制御部１４０は、記憶装置１００２に格納され、プロセッサ１００１で動作する制御プログラムによって実現されてもよい。また、例えば、図９に示したユーザ装置２０の制御部２４０は、記憶装置１００２に格納され、プロセッサ１００１で動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００６５】
記憶装置１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）等の少なくとも１つによって構成されてもよい。記憶装置１００２は、レジスタ、キャッシュ、メインメモリ（主記憶装置）等と呼ばれてもよい。記憶装置１００２は、本開示の一実施の形態に係る通信方法を実施するために実行可能なプログラム（プログラムコード）、ソフトウェアモジュール等を保存することができる。
【００６６】
補助記憶装置１００３は、コンピュータ読み取り可能な記録媒体であり、例えば、ＣＤ−ＲＯＭ（Ｃｏｍｐａｃｔ  Ｄｉｓｃ  ＲＯＭ）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。上述の記憶媒体は、例えば、記憶装置１００２及び補助記憶装置１００３の少なくとも一方を含むデータベース、サーバその他の適切な媒体であってもよい。
【００６７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Ｆｒｅｑｕｅｎｃｙ  Ｄｉｖｉｓｉｏｎ  Ｄｕｐｌｅｘ）及び時分割複信（ＴＤＤ：Ｔｉｍｅ  Ｄｉｖｉｓｉｏｎ  Ｄｕｐｌｅｘ）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インタフェース等は、通信装置１００４によって実現されてもよい。送受信部は、送信部と受信部とで、物理的に、または論理的に分離された実装がなされてもよい。
【００６８】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、ＬＥＤランプ等）である。なお、入力装置１００５及び出力装置１００６は、一体となった構成（例えば、タッチパネル）であってもよい。
【００６９】
また、プロセッサ１００１及び記憶装置１００２等の各装置は、情報を通信するためのバス１００７によって接続される。バス１００７は、単一のバスを用いて構成されてもよいし、装置間ごとに異なるバスを用いて構成されてもよい。
【００７０】
また、アクセスポイント１０及びユーザ装置２０は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００７１】
（実施の形態のまとめ）
以上、説明したように、本発明の実施の形態によれば、種別に応じたウエイト値を決定する制御部と、複数のユーザ装置から無線品質情報を受信する受信部と、を有する無線通信システムであって、前記制御部は、前記複数のユーザ装置の前記種別に応じた前記ウエイト値と、前記無線品質情報とに応じてＯＦＤＭＡスケジューリングを行う、無線通信システムが提供される。
【００７２】
上記の構成により、無線通信システムは、トラフィック種別に応じた適切なユーザ装置のスケジューリングを行うことができる。
【００７３】
また、本発明の実施の形態によれば、種別に応じたウエイト値を決定するステップと、複数のユーザ装置から無線品質情報を受信するステップと、を有する無線通信システムの制御方法であって、前記複数のユーザ装置の前記種別に応じた前記ウエイト値と、前記無線品質情報とに応じてＯＦＤＭＡスケジューリングを行うステップを更に有する、無線通信システムの制御方法が提供される。
【００７４】
上記の構成により、無線通信システムは、トラフィック種別に応じた適切なユーザ装置のスケジューリングを行うことができる。
【００７５】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、アクセスポイント１０及びユーザ装置２０は機能的なブロック図を用いて説明されたが、そのような装置はハードウェアで、ソフトウェアで又はそれらの組み合わせで実現されてもよい。本発明の実施の形態に従ってアクセスポイント１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７６】
本明細書で説明した各態様／実施形態の処理手順、シーケンス、フローチャート等は、矛盾の無い限り、順序を入れ替えてもよい。例えば、本開示において説明した方法については、例示的な順序を用いて様々なステップの要素を提示しており、提示した特定の順序に限定されない。
【００７７】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００７８】
本開示における判定は、１ビットで表される値（０か１か）によって行われてもよいし、真偽値（Ｂｏｏｌｅａｎ：ｔｒｕｅ又はｆａｌｓｅ）によって行われてもよいし、数値の比較（例えば、所定の値との比較）によって行われてもよい。
【００７９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Ｄｉｇｉｔａｌ  Ｓｕｂｓｃｒｉｂｅｒ  Ｌｉｎｅ）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００８１】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８２】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Ｃｏｍｐｏｎｅｎｔ  Ｃａｒｒｉｅｒ）は、キャリア周波数、セル、周波数キャリアなどと呼ばれてもよい。
【００８３】
本開示において使用する「システム」及び「ネットワーク」という用語は、互換的に使用される。
【００８４】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００８５】
上述したパラメータに使用する名称はいかなる点においても限定的な名称ではない。さらに、これらのパラメータを使用する数式等は、本開示で明示的に開示したものと異なる場合もある。
【００８６】
本開示においては、「移動局（ＭＳ：Ｍｏｂｉｌｅ  Ｓｔａｔｉｏｎ）」、「ユーザ端末（ｕｓｅｒ  ｔｅｒｍｉｎａｌ）」、「ユーザ装置（ＵＥ：Ｕｓｅｒ  Ｅｑｕｉｐｍｅｎｔ）」、「端末」などの用語は、互換的に使用され得る。
【００８７】
ユーザ装置は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００８８】
アクセスポイント及びユーザ装置の少なくとも一方は、送信装置、受信装置、通信装置などと呼ばれてもよい。なお、アクセスポイント及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、アクセスポイント及びユーザ装置の少なくとも一方は、必ずしも通信動作時に移動しない装置も含む。例えば、アクセスポイント及びユーザ装置の少なくとも一方は、センサなどのＩｏＴ（Ｉｎｔｅｒｎｅｔ  ｏｆ  Ｔｈｉｎｇｓ）機器であってもよい。
【００８９】
本開示で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ、ｓｅａｒｃｈ、ｉｎｑｕｉｒｙ）（例えば、テーブル、データベース又は別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。また、「判断（決定）」は、「想定する（ａｓｓｕｍｉｎｇ）」、「期待する（ｅｘｐｅｃｔｉｎｇ）」、「みなす（ｃｏｎｓｉｄｅｒｉｎｇ）」などで読み替えられてもよい。
【００９０】
「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【００９１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【００９３】
上記の各装置の構成における「手段」を、「部」、「回路」、「デバイス」等に置き換えてもよい。
【００９４】
本開示において、「含む（ｉｎｃｌｕｄｅ）」、「含んでいる（ｉｎｃｌｕｄｉｎｇ）」及びそれらの変形が使用されている場合、これらの用語は、用語「備える（ｃｏｍｐｒｉｓｉｎｇ）」と同様に、包括的であることが意図される。さらに、本開示において使用されている用語「又は（ｏｒ）」は、排他的論理和ではないことが意図される。
【００９５】
本開示において、例えば、英語でのａ，  ａｎ及びｔｈｅのように、翻訳により冠詞が追加された場合、本開示は、これらの冠詞の後に続く名詞が複数形であることを含んでもよい。
【００９６】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【００９７】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９８】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【符号の説明】
【００９９】
１０        アクセスポイント
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020150457.tif 000003
【図２】
2020150457.tif 000004
【図３】
2020150457.tif 000005
【図４】
2020150457.tif 000006
【図５】
2020150457.tif 000007
【図６】
2020150457.tif 000008
【図７】
2020150457.tif 000009
【図８】
2020150457.tif 000010
【図９】
2020150457.tif 000011
【図１０】
2020150457.tif 000012